(57)【要約】本発明は、導光板、バックライトモジュール及び表示装置に関する。導光板は、本体と複数のプリズム部とを備える。本体は、互いに垂直する第１の延在方向及び第２の延在方向を有する。本体は、入光面と光学面とを含む。入光面は、第１の延在方向に沿って延在する。光学面は、入光面に接続し、且つ、入光面に接近している第１の側及び入光面から離れている第２の側を有する。第２の延在方向は、第１の側から第２の側へ向かう延在方向に平行している。光学面は、第２の延在方向に沿って順次に配列された第１の領域、第２の領域及び第３の領域を有する。プリズム部は、光学面に設置され、第２の延在方向に沿って延在する。プリズム部は、第１の領域に位置する部分の面積比が、第２の領域に位置する部分の面積比より大きく、且つ、第３の領域に位置する部分の面積比より小さい。【選択図】図１Ａ
2021508929.tif 000002
【特許請求の範囲】
【請求項１】
互いに垂直する第１の延在方向及び第２の延在方向を有する本体と、
複数のプリズム部と、を備え、
前記本体は、
前記第１の延在方向に沿って延在する入光面と、
前記入光面に接続された光学面とを含み、
前記光学面は、前記入光面に近い第１の側と、前記入光面から遠い第２の側とを有し、前記第２の延在方向は、前記第１の側から前記第２の側へ向かう延在方向に平行し、且つ、前記光学面は、前記第２の延在方向に沿って順次に配列された第１の領域、第２の領域及び第３の領域を有し、
前記複数のプリズム部は、前記光学面に設置され、それぞれ前記第２の延在方向に沿って延在しており、前記第１の領域に位置する部分の面積比は、前記第２の領域に位置する部分の面積比より大きく、且つ、前記第３の領域に位置する部分の面積比より小さい
ことを特徴とする、導光板。
【請求項２】
各前記プリズム部は、前記第１の領域に位置する第１の幅と、前記第２の領域に位置する第２の幅と、前記第３の領域に位置する第３の幅を有し、前記第１の幅は、前記第２の幅より大きく、且つ、第１の幅は、前記第３の幅より小さい
ことを特徴とする、請求項１に記載の導光板。
【請求項３】
各前記プリズム部は、複数のプリズム構造が前記第２の延在方向に沿って配列することにより形成され、前記第１の領域に位置する各前記プリズム構造は第１の幅を有し、前記第２の領域に位置する各前記プリズム構造は第２の幅を有し、前記第３の領域に位置する各前記プリズム構造は第３の幅を有し、前記第１の幅は、前記第２の幅より大きく、且つ、前記第１の幅は、前記第３の幅より小さい
ことを特徴とする、請求項１に記載の導光板。
【請求項４】
各前記プリズム部は、複数のプリズム構造が前記第２の延在方向に沿って配列することにより形成され、前記第１の領域に位置する前記プリズム構造の配列密集度は、前記第２の領域に位置する前記プリズム構造の配列密集度より大きく、且つ、前記第３の領域に位置する前記プリズム構造の配列密集度より小さい
ことを特徴とする、請求項１に記載の導光板。
【請求項５】
各前記プリズム部は、複数のプリズム構造が前記第２の延在方向に沿って配列することにより形成され、前記第２の延在方向に沿って前記第１の領域に位置する任意の２つの隣接するプリズム構造の間に第１の間隔があり、前記第２の延在方向に沿って前記第２の領域に位置する任意の２つの隣接するプリズム構造の間に第２の間隔があり、前記第２の延在方向に沿って前記第３の領域に位置する任意の２つの隣接するプリズム構造の間に第３の間隔があり、前記第２の間隔は、前記第１の間隔より大きく、且つ、前記第１の間隔は、前記第３の間隔より大きい
ことを特徴とする、請求項１に記載の導光板。
【請求項６】
各前記プリズム部は、複数のプリズム構造が前記第２の延在方向に沿って配列することにより形成され、各前記プリズム構造は、互いに接続されている
ことを特徴とする、請求項１に記載の導光板。
【請求項７】
前記光学面に設置され、且つ、前記第１の側と前記第１の領域との間に位置する、複数の光混合構造を更に備える
ことを特徴とする、請求項１に記載の導光板。
【請求項８】
各前記プリズム部は、複数のプリズム構造が前記第２の延在方向に沿って配列することにより形成され、
各前記プリズム構造は、
前記入光面に対して傾斜し、底部から頂部に延びる第１の傾斜角を形成する、第１の光学面と、
前記入光面に対して傾斜し、底部から頂部に延びる第２の傾斜角を形成する、第２の光学面とを含み、
前記第１の傾斜角は、前記第２の傾斜角より小さく、且つ、前記第１の光学面は、前記入光面に接近しており、前記第２の光学面は、前記入光面から離れている
ことを特徴とする、請求項１に記載の導光板。
【請求項９】
各前記プリズム構造における前記第１の光学面と前記第２の光学面との接続により稜線が形成され、前記稜線は、前記第１の側に実質的に平行している
ことを特徴とする、請求項８に記載の導光板。
【請求項１０】
請求項１乃至９のいずれか１項に記載の導光板と、
前記入光面に隣接して設けられる光源と、を備える
ことを特徴とする、バックライトモジュール。
【請求項１１】
請求項１０に記載のバックライトモジュールと、
前記導光板の前方に設置されている表示パネルと、を備える
ことを特徴とする、表示装置。
【発明の詳細な説明】
【技術分野】
【０００１】
本発明は、導光アセンブリ及びその応用に関し、特に、導光板、及びバックライトモジュールと表示装置における当該導光板の応用に関する。
【背景技術】
【０００２】
導光板は、入光面、出光面、及び反射面を有する。光源から提供される光は、導光板の入光面から導光板へ入り、導光板の出光面から出射される。導光板の内部を通過する光をより均一に混合させるために、通常、導光板の出光面又は反射面にマイクロ構造を設けているが、一般的なマイクロ構造は、入光側で比較的疎で、反入光側に向かって徐々に密になる線形分布傾向があり、それによって、入光側で明暗の縞が生成されやすくなり、導光板の光学的外観に影響を与える。よって、上記の問題を解決するための導光板が必要となっている。
【発明の概要】
【発明が解決しようとする課題】
【０００３】
よって、本発明は、導光板、バックライトモジュール及び表示装置を提供することを目的とし、当該導光板は、導光板の各箇所からの出光量を制御することができるプリズム設計を有するため、バックライトモジュール及び表示装置の均一性及び外観を向上させる。
【課題を解決するための手段】
【０００４】
本発明の上記目的に基づいて、導光板を提案する。当該導光板は、本体と、複数のプリズム部とを備える。本体は、互いに垂直する第１の延在方向及び第２の延在方向を有する。本体は、入光面と、光学面とを含む。入光面は、第１の延在方向に沿って延在する。光学面は、入光面に接続され、且つ、入光面に接近している第１の側と、入光面から離れている第２の側とを有する。第２の延在方向は、第１の側から第２の側へ向かう延在方向に平行する。また、光学面は、第２の延在方向に沿って順次に配列された第１の領域、第２の領域及び第３の領域及び第３の領域を有する。プリズム部は、光学面に設置され、且つ、各プリズム部は、第２の延在方向に沿って延在しており、プリズム部が第１の領域に位置する部分の面積比は、第２の領域に位置する部分の面積比より大きく、且つ、第３の領域に位置する部分の面積比より小さい。
【０００５】
本発明の実施例によると、各プリズム部は、第１の領域に位置する第１の幅と、第２の領域に位置する第２の幅と、第３の領域に位置する第３の幅を有する。また、第１の幅は、第２の幅より大きく、且つ、第１の幅は、第３の幅より小さい。
【０００６】
本発明の実施例によると、各プリズム部は、複数のプリズム構造が第２の延在方向に沿って配列することにより形成され、第１の領域中に位置する各プリズム構造は第１の幅を有し、第２の領域に位置する各プリズム構造は第２の幅を有し、第３の領域に位置する各プリズム構造は第３の幅を有する。また、第１の幅は、第２の幅より大きく、且つ、前記第１の幅は、第３の幅より小さい。
【０００７】
本発明の実施例によると、各プリズム部は、複数のプリズム構造が第２の延在方向に沿って配列することにより形成される。また、第１の領域に位置するプリズム構造の配列密集度は、第２の領域に位置するプリズム構造の配列密集度より大きく、且つ、第３の領域に位置するプリズム構造の配列密集度より小さい。
【０００８】
本発明の実施例によると、各プリズム部は、複数のプリズム構造が第２の延在方向に沿って配列することにより形成される。また、第２の延在方向に沿って第１の領域に位置する任意の２つの隣接するプリズム構造の間に第１の間隔があり、第２の延在方向に沿って第２の領域に位置する任意の２つの隣接するプリズム構造の間に第２の間隔があり、第２の延在方向に沿って第３の領域に位置する任意の２つの隣接するプリズム構造の間に第３の間隔がある。第２の間隔は、第１の間隔より大きく、且つ、第１の間隔は、第３の間隔より大きい。
【０００９】
本発明の実施例によると、各プリズム部は、複数のプリズム構造が第２の延在方向に沿って配列することにより形成され、各プリズム構造は、互いに接続されている。
【００１０】
本発明の実施例によると、導光板は、複数の光混合構造を更に備える。光混合構造は、光学面に設置され、且つ、光混合構造は、第１の側と第１の領域との間に位置する。
【００１１】
本発明の実施例によると、各プリズム部は、複数のプリズム構造が第２の延在方向に沿って配列することにより形成される。各プリズム構造は、第１の光学面と第２の光学面とを含む。第１の光学面は、入光面に対して傾斜し、第１の光学面は、底部から頂部に延びる第１の傾斜角を形成する。第２の光学面は、入光面に対して傾斜し、第２の光学面は、底部から頂部に延びる第２の傾斜角を形成する。また、第１の傾斜角は、第２の傾斜角より小さく、且つ、第１の光学面は、入光面に接近しており、第２の光学面は、当該入光面から離れている。
【００１２】
本発明の実施例によると、各プリズム構造における第１の光学面と第２の光学面との接続により稜線が形成され、稜線は、第１の側に実質的に平行している。
【００１３】
本発明の上記目的に基づいて、バックライトモジュールをさらに提供する。バックライトモジュールは、前述導光板と、光源とを備える。光源は、導光板の入光面に隣接して設けられる。
【００１４】
本発明の上記目的に基づいて、表示装置をさらに提供する。表示装置は、前述バックライトモジュールと、表示パネルとを備える。表示パネルは、導光板の前方に設置されている。
【発明の効果】
【００１５】
上述から分かるように、本発明の導光板は、複数のプリズム部を備え、各プリズム部は、導光板に接近している入光面、導光板から離れている入光面（反入光面）、及び導光板の中間での占用面積がそれぞれ異なるため、導光板の異なる位置での出光量をそれぞれ制御することができ、導光板全体の出光の均一度を向上させることができる。
【図面の簡単な説明】
【００１６】
実施例及び利点をより完全に理解するために、図面を参照して以下のように説明する。
【図１Ａ】図１Ａは、本発明の第１の実施形態によるバックライトモジュールの装置模式図を示している。
【図１Ｂ】図１Ｂは、本発明の第１の実施形態による導光板の光学面の異なる位置におけるプリズム部の面積比の変化グラフを示している。
【図２Ａ】図２Ａは、本発明の第１の実施形態によるバックライトモジュールの部分模式図を示している。
【図２Ｂ】図２Ｂは、図２ＡのＡ−Ａ切断線に沿った断面図を示している。
【図３】図３は、本発明の第２の実施形態によるバックライトモジュールの部分模式図を示している。
【図４Ａ】図４Ａは、本発明の第３の実施形態によるバックライトモジュールの部分模式図を示している。
【図４Ｂ】図４Ｂは、図４ＡのＢ−Ｂ切断線に沿った断面図を示している。
【図５】図５は、本発明の第４の実施形態によるバックライトモジュールの部分模式図を示している。
【図６】図６は、本発明の第５の実施形態によるバックライトモジュールの部分模式図を示している。
【図７】図７は、本発明の実施形態による表示装置の装置模式図を示している。
【発明を実施するための形態】
【００１７】
図１Ａを参照すると、本発明の第１の実施形態によるバックライトモジュールの装置模式図を示している。本実施形態のバックライトモジュール１００は、主に導光板２００及び光源３００を備える。導光板２００は、本体２１０及び複数のプリズム部２２０を備える。これらのプリズム部２２０は、本体２１０に設置されている。プリズム部２２０を設置することにより、導光板２００の光学的傾向を調整することができ、導光板２００の出光外観の均一性を向上させることができる。
【００１８】
図１Ａを引き続き参照すると、導光板２００において、本体２１０は、光透過板又は他の同等効果の光透過部材であってもよい。本実施例において、本体２１０は、第１の延在方向Ｄ１及び第２の延在方向Ｄ２を有し、且つ、第１の延在方向Ｄ１は、第２の延在方向Ｄ２に垂直している。なお、本体２１０は、主に入光面２１１及び光学面２１２を備える。入光面２１１は、第１の延在方向Ｄ１に沿って延在する。光学面２１２は、入光面２１１に接続している。本実施例において、光学面２１２は、出光面である。他の実施例において、光学面２１２は、反射面であってもよい。光源３００は、入光面２１１の隣に設置され、光源３００で生成される光は、入光面２１１から導光板２００に入ることができる。
【００１９】
一実施例において、光学面２１２は、互いに対向する第１の側２１２ａ及び第２の側２１２ｂを有し、第１の側２１２ａは、入光面２１１に接近しており、第２の側２１２ｂは、入光面２１１から離れている。第２の延在方向Ｄ２は、第１の側２１２ａから第２の側２１２ｂへ向かう延在方向に平行している。一実施例において、光学面２１２は、第２の延在方向Ｄ２に沿って順次に配列される第１の領域Ａ１、第２の領域Ａ２及び第３の領域Ａ３を有する。図１Ａに示される破線のボックスは、本発明で言及される第１の領域Ａ１、第２の領域Ａ２及び第３の領域Ａ３を示すためのみに用いられ、この破線のボックス自体は、本発明の導光板２００の構造に属しないことを理解すべきである。
【００２０】
図１Ａを引き続き参照すると、プリズム部２２０は、光学面２１２に設置されている。本実施例において、各プリズム部２２０は、第２の延在方向Ｄ２に沿って延在し、同時に第１の領域Ａ１、第２の領域Ａ２及び第３の領域Ａ３に跨っている。図１Ｂを同時に参照すると、本発明の第１の実施形態による導光板の光学面の異なる位置におけるプリズム部の面積比の変化グラフを示している。ここで、縦軸の０ｍｍは、光学面２１２と入光面２１１との接続位置を表し、縦軸の数値が大きいほど、入光面２１１から遠い位置を表す。図１Ａ及び図１Ｂに示すように、プリズム部２２０が第１の領域Ａ１に位置する部分の面積比は、第２の領域Ａ２に位置する部分の面積比より大きく、且つ、プリズム部２２０が第３の領域Ａ３に位置する部分の面積比より小さい。したがって、光源３００で生成された光が入光面２１１から導光板２００へ入った後、プリズム部２２０が第１の領域Ａ１に位置する部分、プリズム部２２０が第２の領域Ａ２に位置する部分、及びプリズム部２２０が第３の領域Ａ３に位置する部分によってそれぞれ出射される出光量が異なるため、光学面２１２全体から放射される光の輝度をより均一にすることができる。
【００２１】
一実施例において、各プリズム部２２０は、第１の幅Ｗ１、第２の幅Ｗ２及び第３の幅Ｗ３を有する。プリズム部２２０の第１の幅Ｗ１を有する部分は、第１の領域Ａ１に位置し、プリズム部２２０の第２の幅Ｗ２を有する部分は、第２の領域Ａ２に位置し、プリズム部２２０の第３の幅Ｗ３を有する部分は、第３の領域Ａ３に位置する。なお、第１の幅Ｗ１は第２の幅Ｗ２より大きく、且つ、第１の幅Ｗ１は第３の幅Ｗ３より小さいため、プリズム部２２０が第１の領域Ａ１に位置する部分の面積比は、プリズム部２２０が第２の領域Ａ２に位置する部分の面積比より大きく、且つ、プリズム部２２０が第３の領域Ａ３に位置する部分の面積比より小さくすることができる。ここで指す第１の幅Ｗ１、第２の幅Ｗ２及び第３の幅Ｗ３は、プリズム部２２０が第１の領域Ａ１、第２の領域Ａ２及び第３の領域Ａ３に位置する部分の最大幅であることを理解すべきである。
【００２２】
図１Ａを引き続き参照すると、本実施例において、各プリズム部２２０は、複数のプリズム構造（例えば、プリズム構造２２１、プリズム構造２２２及びプリズム構造２２３）を第２の延在方向Ｄ２に沿って順次に配列することで形成される。ここで、プリズム構造２２１は、第１の領域Ａ１に位置し、プリズム構造２２２は、第２の領域Ａ２に位置し、プリズム構造２２３は、第３の領域Ａ３に位置する。図２Ａ及び図２Ｂを同時に参照すると、図２Ａは、本発明の第１の実施形態によるバックライトモジュールの部分模式図を示し、図２Ｂは、図２ＡのＡ−Ａ切断線に沿った断面図を示している。本実施例において、プリズム構造２２１、プリズム構造２２２及びプリズム構造２２３は、第２の延在方向Ｄ２に沿って互いに接続されている。本実施例において、プリズム構造２２１、プリズム構造２２２及びプリズム構造２２３は、すべて凸状構造であって、同じ長さＬ１及び高さＨ１を有する。また、プリズム構造２２１、プリズム構造２２２及びプリズム構造２２３の構造はほぼ同じであり、相違点は、プリズム構造２２１の第１の幅Ｗ１’、プリズム構造２２２の第２の幅Ｗ２’、プリズム構造２２３の第３の幅Ｗ３’だけが互いに異なることである。したがって、プリズム構造２２１、プリズム構造２２２及びプリズム構造２２３のサイズは互いに異なる。
【００２３】
図２Ａ及び図２Ｂを引き続き参照すると、本実施例において、第１の幅Ｗ１’は第２の幅Ｗ２’より大きく、且つ、第１の幅Ｗ１’は第３の幅Ｗ３’より小さいため、プリズム構造２２１が第１の領域Ａ１に位置する部分の面積比は、プリズム構造２２２が第２の領域Ａ２に位置する部分の面積比より大きく、且つ、プリズム構造２２３が第３の領域Ａ３に位置する部分の面積比より小さくすることができる。したがって、光源３００で生成された光が入光面２１１から導光板２００へ入った後、入光面２１１に接近するプリズム構造２２１から出射される出光量を大幅に向上させることができ、従来技術における入光側で明暗の縞が生成しやすいという問題を解決することができ、導光板２００の光学面２１２から放射される光の輝度をより均一にさせることができる。
【００２４】
一つの例示的な例において、プリズム構造２２２は、第１の光学面２２２ａ及び第２の光学面２２２ｂを有する。ここで、第１の光学面２２２ａは、入光面２１１に接近しており、第２の光学面２２２ｂは、入光面２１１から離れている。第１の光学面２２２ａは、光学面２１２に接続され、入光面２１１に対して傾斜し、これにより第１の傾斜角αを形成する。第１の光学面２２２ａは、底部から頂部まで延在しており、第１の傾斜角αは、第１の光学面２２２ａと第１の光学面２２２ａの底部を通る水平面との間の交角であり、当該水平面は光学面２１２と同じ平面であることを理解すべきである。
【００２５】
第２の光学面２２２ｂは、光学面２１２と第１の光学面２２２ａに接続する。第２の光学面２２２ｂは、入光面２１１に対して傾斜し、これにより第２の傾斜角βを形成する。第２の光学面２２２ｂは、底部から頂部まで延在しており、第２の傾斜角βは、第２の光学面２２２ｂと第２の光学面２２２ｂの底部を通る水平面との間の交角であり、当該水平面は光学面２１２と同じ平面であることを理解すべきである。第１の光学面２２２ａと第２の光学面２２２ｂとの接続される箇所は稜線２２２ｃであり、当該稜線２２２ｃは、光学面２１２の第１の側２１２ａに実質的に平行している。幾つかの実施例において、図２Ｂに示すように、第１の傾斜角αは、第２の傾斜角βより小さく、且つ、第１の傾斜角αは入光面２１１に対向し、第２の傾斜角βは入光面２１１に背向している。本実施例において、第１の光学面２２２ａと第２の光学面２２２ｂは、主にプリズム構造２２２から出射される光の方向を変更するのに用いられる。プリズム構造２２１及びプリズム構造２２３の構造は、プリズム構造２２２の構造とほぼ同じであり、光の指向性を変更する目的を達成するために、いずれも入光面２１１に対して傾斜する第１の光学面と第２の光学面を含む、ことを理解すべきである。したがって、ここでは繰り返して説明しない。
【００２６】
他の実施例において、導光板は、他の異なる構造設計を有してよい。図３を参照すると、本発明の第２の実施形態によるバックライトモジュールの部分模式図を示している。本実施例において、導光板４００の構造は、第１の実施例の導光板２００とほぼ同じであり、相違点は、導光板４００のプリズム部４２０が異なる構造設計を有することである。本実施例において、各プリズム部４２０は、複数のプリズム構造（例えば、プリズム構造４２１、プリズム構造４２２及びプリズム構造４２３）を第２の延在方向Ｄ２に沿って順次に配列することで形成される。プリズム構造４２１は、第１の領域Ａ１に位置し、プリズム構造４２２は、第２の領域Ａ２に位置し、プリズム構造４２３は、第３の領域Ａ３に位置する。
【００２７】
図３に示すように、一実施例において、プリズム構造４２１、プリズム構造４２２及びプリズム構造４２３の構造のサイズと形状は実質的に同じである。また、第１の領域Ａ１に位置するプリズム構造４２１の配列密集度は、第２の領域Ａ２に位置するプリズム構造４２２の配列密集度より大きく、かつ第３の領域Ａ３に位置するプリズム構造４２３の配列密集度より小さいため、プリズム部４２０が第１の領域Ａ１に位置する部分の面積比は、プリズム部４２０が第２の領域Ａ２に位置する部分の面積比より大きく、且つ、プリズム部４２０の第３の領域Ａ３に位置する部分の面積比より小さくすることができる。したがって、光源３００で生成された光が入光面２１１から導光板４００へ入った後、入光面２１１に接近するプリズム構造４２１から出射される出光量を大幅に向上させることができ、従来技術における入光側で明暗の縞が生成しやすいという問題を解決することができ、導光板４００の光学面２１２から放射される光の輝度をより均一にさせることができる。
【００２８】
本実施形態のプリズム構造４２１、プリズム構造４２２及びプリズム構造４２３の構造設計は、図２Ａ及び図２Ｂに示されるプリズム構造２２２の構造設計とほぼ同じであるため、ここでは繰り返して説明しない。一方、本実施形態のプリズム構造４２１、プリズム構造４２２及びプリズム構造４２３のサイズを同じく設計しているが、例示的に説明するためのものだけである。他の実施例において、プリズム構造４２１、プリズム構造４２２及びプリズム構造４２３のサイズは異なるように設計されてもよい。例えば、プリズム構造４２１の幅は、プリズム構造４２２の幅より大きく、且つプリズム構造４２３の幅より小さくてもよいため、プリズム部４２０が第１の領域Ａ１、第２の領域Ａ２及び第３の領域Ａ３にそれぞれ位置する部分の面積比を変更し、導光板４００の第１の領域Ａ１、第２の領域Ａ２及び第３の領域Ａ３それぞれからの光の出光量を制御する。
【００２９】
図４Ａ及び図４Ｂを同時に参照すると、図４Ａは、本発明の第３の実施形態によるバックライトモジュールの部分模式図を示し、図４Ｂは、図４ＡのＢ−Ｂ切断線に沿った断面図を示している。本実施例において、導光板５００の構造は、第１の実施例の導光板２００とほぼ同じであり、相違点は、導光板５００のプリズム部５２０が異なる構造設計を有することである。本実施例において、各プリズム部５２０は、複数のプリズム構造（例えば、プリズム構造５２１、プリズム構造５２２及びプリズム構造５２３）を第２の延在方向Ｄ２に沿って順次に配列することで形成される。プリズム構造５２１は、第１の領域Ａ１に位置し、プリズム構造５２２は、第２の領域Ａ２に位置し、プリズム構造５２３は、第３の領域Ａ３に位置する。
【００３０】
図４Ａ及び図４Ｂに示すように、一実施例において、プリズム構造５２１、プリズム構造５２２及びプリズム構造５２３の構造サイズと形状は実質的に同じである。第２の延在方向Ｄ２に沿って第１の領域Ａ１に位置する任意の２つの隣接するプリズム構造５２１の間に第１の間隔Ｓ１があり、第２の延在方向Ｄ２に沿って第２の領域Ａ２に位置する任意の２つの隣接するプリズム構造５２２の間に第２の間隔Ｓ２があり、第２の延在方向Ｄ２に沿って第３の領域Ａ３に位置する任意の２つの隣接するプリズム構造５２３の間に第３の間隔Ｓ３がある。ここで、第２の間隔Ｓ２は第１の間隔Ｓ１より大きく、且つ、第１の間隔Ｓ１は第３の間隔Ｓ３より大きいため、プリズム部５２０が第１の領域Ａ１に位置する部分の面積比は、プリズム部５２０が第２の領域Ａ２に位置する部分の面積比より大きく、且つ、プリズム部５２０が第３の領域Ａ３に位置する部分の面積比より小さくすることができる。したがって、光源３００で生成された光が入光面２１１から導光板５００へ入った後、入光面２１１に接近するプリズム構造５２１から出射される出光量を大幅に向上させることができ、従来技術における入光側で明暗の縞が生成しやすいという問題を解決することができ、導光板５００の光学面２１２から放射される光の輝度をより均一にさせることができる。
【００３１】
本実施形態のプリズム構造５２１、プリズム構造５２２及びプリズム構造５２３の構造設計は、図２Ａ及び図２Ｂに示されるプリズム構造２２２の構造設計とほぼ同じであるため、ここでは繰り返して説明しないことを理解すべきである。一方、本実施形態のプリズム構造５２１、プリズム構造５２２及びプリズム構造５２３のサイズを同じく設計しているが、例示的に説明するためのものだけである。他の実施例において、プリズム構造５２１、プリズム構造５２２及びプリズム構造５２３のサイズは異なるように設計されてもよい。例えば、プリズム構造５２１の幅は、プリズム構造５２２の幅より大きく、且つプリズム構造５２３の幅より小さくてもよいため、プリズム部５２０が第１の領域Ａ１、第２の領域Ａ２及び第３の領域Ａ３にそれぞれ位置する部分の面積比を変更することができる。他の実施例において、第１の領域Ａ１に位置するプリズム構造５２１の配列密集度、第２の領域Ａ２に位置するプリズム構造５２２の配列密集度、及び第３の領域Ａ３に位置するプリズム構造５２３の配列密集度を変更することによって、プリズム部５２０が第１の領域Ａ１、第２の領域Ａ２及び第３の領域Ａ３にそれぞれ位置する部分の面積比を変更することができる。
【００３２】
図５を参照すると、本発明の第４の実施形態によるバックライトモジュールの部分模式図を示している。本実施例において、導光板６００の構造は、第１の実施例の導光板２００とほぼ同じであり、相違点は、導光板６００が光混合構造６０１をさらに備えることである。図５に示すように、光混合構造６０１は、光学面２１２に設置され、入光面２１１と第１の領域Ａ１との間に位置する。本実施例において、光混合構造６０１は、帯状構造であり、当該帯状構造は、光学面２１２から突出する凸状部又は凹入光学面２１２に凹んだ凹没部であってもよい。また、光混合構造６０１は、第２の延在方向Ｄ２に沿って延在している。したがって、光源３００から出射された光が導光板６００に入った後、先ず光混合構造６０１を通過して均一な光を形成することにより、周知の導光板における入光側での明暗の縞による不均一な外観の問題を解決することができる。
【００３３】
図５の実施例の導光板６００の光混合構造６０１とプリズム部２２０との組み合わせは、例示的に説明するためのものだけであることを理解すべきである。他の実施例において、導光板６００の光混合構造６０１は、図３に示されるプリズム部４２０又は図４に示されるプリズム部５２０と組み合わせて、同じ効果を生み出すことができる。
【００３４】
上述のプリズム構造は、凸状構造であるが、例示的に説明するためのものだけであることを理解すべきである。他の実施例において、プリズム構造は、凹状構造であってもよい。図６を参照すると、本発明の第５の実施形態によるバックライトモジュールの部分模式図を示している。本実施例において、導光板７００の構造は、第１の実施例の導光板２００とほぼ同じであり、相違点は、導光板７００のプリズム構造７２１、７２２及び７２３が異なる構造設計を有することである。本実施例において、プリズム構造７２１、７２２及び７２３は、凹没構造である。一つの例示的な例において、プリズム構造７２２は、第１の光学面７２２ａ及び第２の光学面７２２ｂを含む。ここで、第１の光学面７２２ａは、入光面２１１に接近しており、第２の光学面７２２ｂは、入光面２１１から離れている。第１の光学面７２２ａは、入光面２１１に対して傾斜し、これにより底部から頂部に延びる第１の傾斜角α’を形成する。第２の光学面７２２ｂは、入光面２１１に対して傾斜し、これにより底部から頂部に延びる第２の傾斜角β’を形成する。幾つかの実施例において、第１の傾斜角α’は、第２の傾斜角β’より小さい。本実施例において、第１の光学面７２２ａと第２の光学面７２２ｂは、主にプリズム構造７２２から出射される光の方向を変更するのに用いられる。プリズム構造７２１及びプリズム構造７２３の構造は、プリズム構造７２２の構造とほぼ同じであり、光の指向性を変更する目的に達成するため、いずれも入光面２１１に対して傾斜した第１の光学面及び第２の光学面を含むことを理解すべきである。したがって、ここでは繰り返して説明しない。
【００３５】
図２Ｂ及び図６を同時に参照すると、図２Ｂに示される実施例のプリズム構造２２１、２２２及２２３は凸状部であるため、光源３００から出射されるほとんどの光は入光面２１１から導光板２００に入った後、第２の光学面（例えば、第２の光学面２２２ｂ）に向けられる。即ち、プリズム構造２２１、２２２及び２２３の第２の光学面は、直接受光面である。したがって、光をガイドする目的を達成するために、幾つかの実施例において、プリズム構造２２１、２２２及び２２３の第２の光学面の面積は、導光板２００の出光效率及び外観の均一性を向上させるために、第１の光学面の面積より大きくすることができる。一方、図６に示される実施例のプリズム構造７２１、７２２及び７２３が凹没部であるため、光源３００から出射されるほとんどの光は入光面２１１から導光板７００に入った後、第１の光学面（例えば、第１の光学面７２２ａ）に向けられる。即ち、プリズム構造７２１、７２２及び７２３の第１の光学面は、直接受光面である。したがって、構造設計の観点から、プリズム構造７２１、７２２及び７２３の第１の光学面の面積は、導光板７００の出光效率及び外観の均一性を向上させるために、第２の光学面の面積より大きくすることができる。
【００３６】
図７を参照すると、本発明の実施形態によるバックライトモジュールの部分模式図を示している。本実施形態の表示装置８００は、図２Ａ及び図２Ｂに示されるバックライトモジュール１００及び表示パネル８１０を備える。図７に示すように、表示パネル８１０は、バックライトモジュール１００の導光板２００の前方に設置され、上記と同じ目的を達成することができるので、ここでは繰り返して説明しない。本願の実施例において、図２Ａ及び図２Ｂに示される導光板２００を有するバックライトモジュール１００を表示装置８００に応用しているが、これは例示的に説明するためのものだけであって、本発明を限定するものではないことを理解すべきである。上記の他の実施例の導光板、例えば、導光板４００、５００、６００及び７００は、表示装置に応用され、同じ効果を生み出すことができる。
【００３７】
上記本発明の実施形態から分かるように、本発明の導光板は、複数のプリズム部を備え、且つ、各プリズム部が導光板に接近している入光面、導光板から離れている入光面（反入光面）及び導光板の中間での占用面積が異なるため、導光板の異なる位置での出光量をそれぞれ制御することができ、導光板全体の出光の均一度を向上させることができる。
【００３８】
以上、実施例によって本発明を開示したが、本発明を限定するものではなく、当業者であれば、本発明の趣旨及び範囲から逸脱しない範囲内で様々な変更及び装飾を行うことができるため、本発明の保護範囲は、添付された特許請求の範囲によって決定されるものとする。
【符号の説明】
【００３９】
１００．．．バックライトモジュール
２００．．．導光板
２１０．．．本体
２１１．．．入光面
２１２．．．光学面
２１２ａ．．第１の側
２１２ｂ．．．第２の側
２２０．．．プリズム部
２２１．．．プリズム構造
２２２．．．プリズム構造
２２２ａ．．．第１の光学面
２２２ｂ．．．第２の光学面
２２２ｃ．．．稜線
２２３．．．プリズム構造
３００．．．光源
４００．．．導光板
４２０．．．プリズム部
４２１．．．プリズム構造
４２２．．．プリズム構造
４２３．．．プリズム構造
５００．．．導光板
５２０．．．プリズム部
５２１．．．プリズム構造
５２２．．．プリズム構造
５２３．．．プリズム構造
６００．．．導光板
６０１．．．光混合構造
７００．．．導光板
７２１．．．プリズム構造
７２２．．．プリズム構造
７２２ａ．．．第１の光学面
７２２ｂ．．．第２の光学面
７２３．．．プリズム構造
８００．．．表示装置
８１０．．．表示パネル
Ａ１．．．第１の領域
Ａ２．．．第２の領域
Ａ３．．．第３の領域
Ｄ１．．．第１の延在方向
Ｄ２．．．第２の延在方向
Ｈ１．．．高さ
Ｌ１．．．長さ
Ｗ１．．．第１の幅
Ｗ１’．．．第１の幅
Ｗ２．．．第２の幅
Ｗ２’．．．第２の幅
Ｗ３．．．第３の幅
Ｗ３’．．．第３の幅
Ｓ１．．．第１の間隔
Ｓ２．．．第２の間隔
Ｓ３．．．第３の間隔
α．．．第１の傾斜角
α’．．．第１の傾斜角
β．．．第２の傾斜角
β’．．．第２の傾斜角
【図１Ａ】
2021508929.tif 000003
【図１Ｂ】
2021508929.tif 000004
【図２Ａ】
2021508929.tif 000005
【図２Ｂ】
2021508929.tif 000006
【図３】
2021508929.tif 000007
【図４Ａ】
2021508929.tif 000008
【図４Ｂ】
2021508929.tif 000009
【図５】
2021508929.tif 000010
【図６】
2021508929.tif 000011
【図７】
2021508929.tif 000012
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
互いに垂直する第１の延在方向及び第２の延在方向を有する本体と、
複数のプリズム部と、を備え、
前記本体は、
前記第１の延在方向に沿って延在する入光面と、
前記入光面に接続された光学面とを含み、
前記光学面は、前記入光面に近い第１の側と、前記入光面から遠い第２の側とを有し、前記第２の延在方向は、前記第１の側から前記第２の側へ向かう延在方向に平行し、且つ、前記光学面は、前記第２の延在方向に沿って順次に配列された第１の領域、第２の領域及び第３の領域を有し、
前記複数のプリズム部は、前記光学面に設置され、それぞれ前記第２の延在方向に沿って延在しており、前記第１の領域に位置する部分の面積比は、前記第２の領域に位置する部分の面積比より大きく、且つ、前記第３の領域に位置する部分の面積比より小さい
ことを特徴とする、導光板。
【請求項２】
各前記プリズム部は、前記第１の領域に位置する第１の幅と、前記第２の領域に位置する第２の幅と、前記第３の領域に位置する第３の幅を有し、前記第１の幅は、前記第２の幅より大きく、且つ、第１の幅は、前記第３の幅より小さい
ことを特徴とする、請求項１に記載の導光板。
【請求項３】
各前記プリズム部は、複数のプリズム構造が前記第２の延在方向に沿って配列することにより形成され、前記第１の領域に位置する各前記プリズム構造は第１の幅を有し、前記第２の領域に位置する各前記プリズム構造は第２の幅を有し、前記第３の領域に位置する各前記プリズム構造は第３の幅を有し、前記第１の幅は、前記第２の幅より大きく、且つ、前記第１の幅は、前記第３の幅より小さい
ことを特徴とする、請求項１に記載の導光板。
【請求項４】
各前記プリズム部は、複数のプリズム構造が前記第２の延在方向に沿って配列することにより形成され、前記第１の領域に位置する前記プリズム構造の配列密集度は、前記第２の領域に位置する前記プリズム構造の配列密集度より大きく、且つ、前記第３の領域に位置する前記プリズム構造の配列密集度より小さい
ことを特徴とする、請求項１に記載の導光板。
【請求項５】
各前記プリズム部は、複数のプリズム構造が前記第２の延在方向に沿って配列することにより形成され、前記第２の延在方向に沿って前記第１の領域に位置する任意の２つの隣接するプリズム構造の間に第１の間隔があり、前記第２の延在方向に沿って前記第２の領域に位置する任意の２つの隣接するプリズム構造の間に第２の間隔があり、前記第２の延在方向に沿って前記第３の領域に位置する任意の２つの隣接するプリズム構造の間に第３の間隔があり、前記第２の間隔は、前記第１の間隔より大きく、且つ、前記第１の間隔は、前記第３の間隔より大きい
ことを特徴とする、請求項１に記載の導光板。
【請求項６】
各前記プリズム部は、複数のプリズム構造が前記第２の延在方向に沿って配列することにより形成され、
各前記プリズム構造は、
前記入光面に対して傾斜し、底部から頂部に延びる第１の傾斜角を形成する、第１の光学面と、
前記入光面に対して傾斜し、底部から頂部に延びる第２の傾斜角を形成する、第２の光学面とを含み、
前記第１の傾斜角は、前記第２の傾斜角より小さく、且つ、前記第１の光学面は、前記入光面に接近しており、前記第２の光学面は、前記入光面から離れている
ことを特徴とする、請求項１に記載の導光板。
【請求項７】
各前記プリズム構造における前記第１の光学面と前記第２の光学面との接続により稜線が形成され、前記稜線は、前記第１の側に実質的に平行している
ことを特徴とする、請求項６に記載の導光板。
【請求項８】
各前記プリズム部は、複数のプリズム構造が前記第２の延在方向に沿って配列することにより形成され、各前記プリズム構造は、互いに接続されている
ことを特徴とする、請求項１または２に記載の導光板。
【請求項９】
前記光学面に設置され、且つ、前記第１の側と前記第１の領域との間に位置する、複数の光混合構造を更に備える
ことを特徴とする、請求項１乃至８のいずれか１項に記載の導光板。
【請求項１０】
請求項１乃至９のいずれか１項に記載の導光板と、
前記入光面に隣接して設けられる光源と、を備える
ことを特徴とする、バックライトモジュール。
【請求項１１】
請求項１０に記載のバックライトモジュールと、
前記導光板の前方に設置されている表示パネルと、を備える
ことを特徴とする、表示装置。
【国際調査報告】
2021508929.tif 000013
2021508929.tif 000014
2021508929.tif 000015
2021508929.tif 000016